(57)【要約】  本発明はマイクロフォンアクセサリに関し、特に、手持ち式の球状ヘッドとそこから延在する長手の柄を有するマイクロフォンと共に使用するマイクロフォンフラグに関する。アクセサリは、少なくとも第１の伝達情報を表示するための少なくとも１面の表示面を有する少なくとも１つの本体と、前記マイクロフォンに前記本体を取り付けるための少なくとも１つの取り付け構造と、少なくとも第２の伝達情報を表示するための少なくとも１つの表示部材を備え、前記少なくとも１つの表示部材は、前記本体及び／または前記マイクロフォンに永久的または取り外し可能に取り付け可能であり、前記少なくとも１つの表示部材は、使用時は、前記本体の前記少なくとも１面の表示面を延長及び／または補足するように構成されている。本発明は、また、マイクロフォンを使用する方法とマイクロフォンアクセサリ装置に関する。【選択図】図１
2017503212.tif 000002
【特許請求の範囲】
【請求項１】
マイクロフォンに使用するマイクロフォンアクセサリであって、
少なくとも第１の伝達情報を表示するための少なくとも１面の表示面を有する本体と、
前記マイクロフォンに前記本体を取り付けるための少なくとも１つの取り付け構造と、
少なくとも第２の伝達情報を表示するための少なくとも１つの表示部材を備え、前記少なくとも１つの表示部材は、前記本体に永久的または取り外し可能に取り付け可能であり、前記少なくとも１つの表示部材は、使用時は、前記本体の前記少なくとも１面の表示面を延長及び／または補足するように構成されている、前記マイクロフォンアクセサリ。
【請求項２】
前記少なくとも１つの表示部材は、使用時、前記本体の前記少なくとも１面の表示面を平面的に及び／または形状的及び／または寸法的に延長及び／または補足するように構成されている、請求項１に記載のマイクロフォンアクセサリ。
【請求項３】
前記表示面は、少なくとも１つの静的で非電子的に可変の第１の伝達情報を表示し、そして／または電子的に可変の第１の伝達情報を表示するのに適した少なくとも１面の表示画面を備え、そして／または前記表示部材は、少なくとも１つの静的で非電子的に可変の第２の伝達情報を表示するように構成され、そして／または電子的に可変の第２の伝達情報を表示するのに適した少なくとも１面の表示画面を備える、請求項１に記載のマイクロフォンアクセサリ。
【請求項４】
前記マイクロフォンアクセサリは、前記表示面及び／または前記表示部材の表示画面を制御するのに操作可能に適した回路、ドライバ、電源、及びプロセッサを備え、少なくとも電子的に可変の第１と第２の伝達情報を広告のコンテンツ及び／または伝達情報の形態でその上に表示する、請求項３に記載のマイクロフォンアクセサリ。
【請求項５】
前記マイクロフォンアクセサリは、少なくとも電子的に可変の第１と第２の伝達情報を記憶するためのメモリ及び／または少なくとも電子的に可変の第１と第２の伝達情報を記憶する外部記憶装置を受容するための外部メモリポート及び／または少なくとも電子的に可変の第１と第２の伝達情報を無線で受信するための無線モジュール及び／または有線の形態で少なくとも電子的に可変の第１と第２の伝達情報を受信する有線ポートとを備える、請求項４に記載のマイクロフォンアクセサリ。
【請求項６】
前記プロセッサは、少なくとも電子的に可変の第１と第２の伝達情報を制御して異なるものもしくは同一のものとし、その場合、プロセッサは、さらに少なくとも同一の第１と第２の伝達情報を表示面及び表示部材の表示画面上にそれぞれ維持するように、もしくは少なくとも同一の第１と第２の伝達情報の表示を前記表示面及び前記表示部材の表示画面それぞれにわたって融合するように構成した、請求項４に記載のマイクロフォンアクセサリ。
【請求項７】
前記静的で非電子的に可変の第１と第２の伝達情報は、印刷媒体及び／または二次元及び／または三次元の物体の形態である請求項３に記載のマイクロフォンアクセサリ。
【請求項８】
前記表示部材は、取り外し可能及び／または変位可能に、前記表示面に隣接して前記本体に取り付け可能である、請求項１に記載のマイクロフォンアクセサリ。
【請求項９】
前記アクセサリは、それに前記表示部材を取り外し可能に取り付けるための磁石クリップ及び／または摩擦嵌合クリップの形態の取り付け構造を備え、使用時、前記表示面を略平面的に補足及び／または延長するように構成されている、請求項１に記載のマイクロフォンアクセサリ。
【請求項１０】
前記アクセサリは、ヒンジを備え、前記表示部材は、使用時、ヒンジ式に変位可能なように前記ヒンジに取り付け可能であり、使用時に前記表示面が略平面に延長されるように前記表示部材が前記表示面に対して略直角になる第１の位置と前記表示部材が前記表示面に対して略同一平面になる第２の位置の間を変位可能である、請求項１に記載のマイクロフォンアクセサリ。
【請求項１１】
前記本体が、それぞれ表示面を形成する４つの平面を有する、もしくはそれぞれが表示面を形成する３つの平面を有する立方体もしくは三角形であって、前記表示部材は略平面であり、前記本体の縁部に隣接し、２面の表示面に近接して、使用時、ヒンジ式に前記第１と第２の位置の間を変位可能になるようにヒンジに取り付け可能である、請求項１０に記載のマイクロフォンアクセサリ。
【請求項１２】
前記表示部材は前記本体の前記縁部に位置する第１のヒンジ軸を中心としてヒンジ式に変位可能であり、前記表示部材は、さらに前記ヒンジで前記第１のヒンジ軸に対して略直角をなす第２のヒンジ軸を中心として回転可能である、請求項１１に記載のマイクロフォンアクセサリ。
【請求項１３】
前記取り付け構造は、前記本体を前記第１のヒンジ軸に平行に貫通して延在する中心通路の形態であり、使用時、前記マイクロフォンのハンドルをその内部に受容される、請求項１２に記載のマイクロフォンアクセサリ。
【請求項１４】
前記表示部材は前記少なくとも第１と第２の位置の間を変位可能となるように手動で起動可能であり、そして／または前記アクセサリは、電気機械的に変位可能な装置を備え、適した制御信号に自動的に応答して前記少なくとも第１と第２の位置の間で前記表示部材を変位するよう操作可能である請求項１０に記載のマイクロフォンアクセサリ。
【請求項１５】
前記本体が環状の取り付け構造の形態であり、使用時、前記アクセサリを前記マイクロフォンのヘッドに取り付け可能となるように前記マイクロフォンの前記ヘッドは、その内部に受容される、請求項１に記載のマイクロフォンアクセサリ。
【請求項１６】
前記表示部材は、前記本体及び／または表示面から、適したスペーサ及び／または空間によって間隔を空けて位置する、請求項１に記載のマイクロフォンアクセサリ。
【請求項１７】
マイクロフォンを使用する方法であって、前記マイクロフォンアクセサリは、少なくとも１つの伝達情報を表示する少なくとも１面の表示面を有する少なくとも１つの本体と、前記マイクロフォンアクセサリを前記マイクロフォンに取り付けるための少なくとも１つの取り付け構造と、前記本体に固定してもしくは取り外し可能に取り付けた少なくとも１つの表示部材とを備えたマイクロフォンアクセサリをマイクロフォンに設けることと、
前記マイクロフォンアクセサリに固定してまたは取り外し可能に取り付け可能な表示部材を操作することによって前記マイクロフォンアクセサリの表示面を延長及び／または補足することとを含む前記方法。
【請求項１８】
前記表示部材が前記マイクロフォンアクセサリに取り外し可能に取り付け可能である場合は、前記方法は、前記表示部材を前記マイクロフォンアクセサリの前記表示面の縁部に隣接して取り付けることを含み、前記表示部材が前記マイクロフォンアクセサリの前記表示面の縁部に隣接して前記マイクロフォンアクセサリに固定して取り付け可能である場合には、前記方法は、ヒンジを中心として前記表示部材を変位させて前記表示面と略同一平面とすることを含む、請求項１７に記載の方法。
【請求項１９】
長手のハンドルとヘッドを有するマイクロフォンに使用するマイクロフォンアクセサリ組立体であって、
使用時、前記アクセサリを前記マイクロフォンの前記ヘッドに取り付けるための環状取り付け構造と、
使用時、前記１つ以上の表示部材が前記取り付け構造及び／または前記マイクロフォンの前記ヘッドから略径方向外方に延在するように前記取り付け構造に固定してまたは取り外し可能に取り付け可能な１つ以上の伝達情報を表示する１つ以上の表示部材とを備えたマイクロフォンアクセサリと、
内部に前記マイクロフォンの前記ヘッドを軸方向に受容するための中心化移行と、前記１つ以上の表示部材と前記取り付け構造の間のインターフェース及び／またはマイクロフォンヘッドを収容する１つ以上の横方向の溝穴を形成するマイクロフォンウィンドシールドとを備え、前記マイクロフォンウィンドシールドは、その操作面に少なくとも１つの伝達情報を備えた、前記マイクロフォンアクセサリ組立体。
【請求項２０】
前記環状取り付け構造が、１つ以上の伝達情報を表示する１つ以上の表示パネルを備え、使用時、前記マイクロフォンウィンドシールドが、１つ以上の表示パネルと一致可能な１つ以上の表示開口を備えた、請求項１９に記載のマイクロフォンアクセサリ組立体。
【発明の詳細な説明】
【技術分野】
【０００１】
本発明は、概ねマイクロフォンアクセサリに関し、特に、手持ち式のマイクロフォンで使用するマイクロフォンフラグに関し、さらに、マイクロフォンアクセサリ組立体及びマイクロフォンの使用方法に関する。
【背景技術】
【０００２】
マイクロフォンフラグなどのようなマイクロフォンアクセサリが、直接、あるいは、主としてマイクロフォンフラグが撮影で視聴者に表示される際に、そのヘッドに隣接してマイクロフォンのハンドルに取り付けられ、視聴者へのメッセージを表示する。
【０００３】
従来、マイクロフォンフラグは、複数の表示パネルを有する立方体や三角形などであり、例えば、そのマイクロフォンが関連するテレビ局の名前を印刷するなど、印刷媒体の形態で伝達情報を表示する。例示したいくつかの実施形態では、このパネルは、印刷した伝達情報の形態で宣伝媒体を表示して広告収入を生み出す。例えば、数百万の視聴者を対象として撮影、放映されるインタビューに関わるテレビ局は、撮影、放映されるフラグ上に特定の会社の広告を載せることで広告費を得ることができる。
【発明の概要】
【発明が解決しようとする課題】
【０００４】
従来のマイクロフォンフラグに伴う問題の１つは、そのマイクロフォンフラグの使用時、例えば、インタビューの途中で広告などの静止画像を表示する場合、フラグのうち１枚のパネルしか有効でないという点である。この制限により、テレビ局は、放送時間を希望通り有効に宣伝して収益を得ることができない。テレビ局がマイクロフォンフラグ上にそのテレビ局のロゴまたはブランドを保持することにした場合、第三者の広告と、彼ら自身のロゴやブランドとのどちらを置くかを選択しなければならないため、この問題はより深刻となる。
【０００５】
本発明の目的は、少なくとも代替のマイクロフォンフラグを提供することにより、上記の問題に取り組むことにある。
【課題を解決するための手段】
【０００６】
本発明の第１の局面によると、
少なくとも第１の伝達情報を表示するための少なくとも１面の表示面を有する少なくとも１つの本体部と、
前記マイクロフォンに前記本体を取り付けるための少なくとも１つの取り付け構造と、
少なくとも第２の伝達情報を表示するための少なくとも１つの表示部材を備え、前記少なくとも１つの表示部材は、前記本体及び／または前記マイクロフォンに永久的または取り外し可能に取り付け可能であり、前記少なくとも１つの表示部材は、使用時は、前記本体の前記少なくとも１面の表示面を延長及び／または追加するように構成された、マイクロフォンに使用するマイクロフォンアクセサリが提供される。
【０００７】
前記少なくとも１つの表示部材は、使用時、前記本体の前記少なくとも１面の表示面を延長するように構成されており、前記延長とは、略平面的及び／または形状的及び／または寸法的な延長である。
【０００８】
形状及び／または寸法は、印及び／またはロゴ及び／または製品及び／または商標及び／または商品名などでもよい。
【０００９】
表示部材は、少なくとも１面の表示面を備えるように構成されていてもよい。前記表示面は、少なくとも１つの静的で非電子的に可変の伝達情報及び／または少なくとも１つの電子的に可変の伝達情報を静的で非電子的に可変の表示及び／または電子的に可変の表示装置をそれぞれ使って、少なくともその一側に表示してもよい。
【００１０】
少なくとも１つの表示部材は、少なくとも第２の伝達情報と第３の伝達情報を静的及び／または動的に表示するように構成して、使用時、前記表示部材の前記第１の側の前記第１の表示面を使用して少なくとも第２の伝達情報を表示し、同じ表示部材の前記第２の側の前記第２の表示面を使用して少なくとも前記第３の伝達情報を表示するようにしてもよい。
【００１１】
前記表示面は、少なくとも１つの静的で非電子的に可変の第１の伝達情報を表示し、そして／または電子的に可変の第１の伝達情報を表示するのに適した少なくとも１面の表示画面を備え、そして／または前記表示部材は、少なくとも１つの静的で非電子的に可変の第２の伝達情報を表示するように構成され、そして／または電子的に可変の第２の伝達情報を表示するのに適した少なくとも１面の表示画面を備えていてもよい。
【００１２】
前記少なくとも１つの表示部材は、その少なくとも一側に少なくとも１面の表示面を備えるように構成され、前記少なくとも１面の表示面は、磁気クリップ及び／または磁石及び／または磁化紙及び／または背面接着紙及び／または摩擦取り付けクリップなどを含む１つ以上の取り付け手段を使って永久的にまたは取り外し可能にそれに取り付けるための少なくとも１つの取り付け構造と、少なくとも１つの表示及び／または少なくとも１台の表示装置であって、前記少なくとも１つの表示は、静的で非電子的に可変の表示を使用した少なくとも１つの静的で非電子的に可変の伝達情報を含み、そして／または前記少なくとも１台の表示装置は、少なくとも１つの電子的に可変の伝達情報及び／または少なくとも１つの投射した伝達情報及び／または少なくとも１つのバーチャルリアリティ伝達情報及び／または少なくとも１つの拡張リアリティ伝達情報を備えるそして／または含む、使用時、少なくとも１台の電子的に可変の表示装置及び／または画像投射装置及びまたはバーチャルリアリティ伝達情報表示装置及び／または拡張リアリティ伝達情報表示装置それぞれを使用する。
【００１３】
前記少なくとも１つの表示部材は、その少なくとも一側に少なくとも１面の表示面を備え、前記少なくとも１面の表示面は、磁気クリップ及び／または磁石及び／または磁化紙及び／または背面接着紙及び／または摩擦嵌合クリップを含む１つ以上の取り付け手段を使用して永久的にまたは取り外し可能にそれに取り付けるための少なくとも１つの取り付け構造と、少なくとも１つの表示及び／または少なくとも１台の表示装置とを備えるように構成され、前記少なくとも１つの表示は、静的で非電子的に可変の表示を使用した少なくとも１つの静的で非電子的に可変の伝達情報を備え、そして／または前記少なくとも１台の表示装置は、使用時、少なくとも１台の電子的に可変の表示装置及び／または画像投射装置及びまたはバーチャルリアリティ伝達情報表示装置及び／または拡張リアリティ表示装置それぞれを使用して、少なくとも１つの電子的に可変の伝達情報及び／または少なくとも１つの投射した伝達情報及び／または少なくとも１つのバーチャルリアリティ伝達情報及び／または少なくとも１つの拡張リアリティ伝達情報を有する及び／または含む。
【００１４】
前記少なくとも１つの表示部材は、その少なくとも一側に少なくとも１面の表示面を備え、前記少なくとも１面の表示面は、磁気クリップ及び／または磁石及び／または磁化紙及び／または背面接着紙及び／または摩擦嵌合クリップを含む１つ以上の取り付け手段を使用して永久的にまたは取り外し可能にそれに取り付けるための少なくとも１つの取り付け構造と、少なくとも１面の表示面を備えた少なくとも１つの追加の表示部材と、を備えるように構成され、前記少なくとも１つの追加の表示部材及び／または表示面は、使用時、静的で非電子的に可変の表示装置及び／または電子的に可変の表示装置及び／または画像投射装置及びまたはバーチャルリアリティ伝達情報表示装置及び／または拡張リアリティ表示装置それぞれを使用して、少なくとも１つの静的で非電子的に可変の伝達情報と及び／または少なくとも１つの電子的に可変の伝達情報及び／または少なくとも１つの投射した伝達情報及び／または少なくとも１つのバーチャルリアリティ伝達情報及び／または少なくとも１つの拡張リアリティ伝達情報を、その少なくとも一側に有する。
【００１５】
前記少なくとも１つの静的で非電子的に可変の伝達情報は、印刷媒体及び／または二次元及び／または三次元のものでもよい。
【００１６】
前記マイクロフォンアクセサリは、前記表示面及び／または前記表示部材の前記表示画面を制御するのに操作可能に適した回路、ドライバ、電源、及びプロセッサを備え、少なくとも電子的に可変の第１と第２の伝達情報を広告のコンテンツの形態でその上に表示するように構成してもよい。
【００１７】
前記マイクロフォンアクセサリは、少なくとも電子的に可変の第１と第２の伝達情報を記憶するためのメモリ及び／または少なくとも電子的に可変の第１と第２の伝達情報を記憶する外部記憶装置を受容するための外部メモリポート及び／または少なくとも電子的に可変の第１と第２の伝達情報を無線で受信するための無線モジュール及び／または有線の形態で少なくとも電子的に可変の第１と第２の伝達情報を受信する有線ポートとを備えてもよい。
【００１８】
前記プロセッサは、少なくとも電子的に可変の第１と第２の伝達情報を制御して異なるものもしくは同一のものとし、その場合、プロセッサは、さらに少なくとも同一の第１と第２の伝達情報を表示面及び表示部材の表示画面上にそれぞれ維持するように、もしくは少なくとも同一の第１と第２の伝達情報の表示を表示面及び表示部材の表示画面それぞれにわたって融合するように構成してもよい。
【００１９】
前記静的で非電子的に可変の第１と第２の伝達情報は、印刷媒体及び／または二次元及び／または三次元のものでもよい。
【００２０】
前記表示部材は、取り外し可能及び／または変位可能に、前記表示面に隣接して前記本体に取り付け可能でもよい。前記少なくとも１つの表示部材は、例えば、ギヤを含む適した電気機械装置を介して電気機械的に変位可能としてもよい。
【００２１】
前記アクセサリは、それに前記表示部材を取り外し可能に取り付けるための磁石クリップ及び／または摩擦嵌合クリップの形態の取り付け構造を備え、使用時、前記表示面を平面的に延長するように構成されていてもよい。
【００２２】
前記アクセサリは、ヒンジを備え、前記表示部材は、使用時、前記表示面が略平面に延長されるように前記表示部材が前記表示面に対して略直角になる第１の位置と前記表示部材が前記表示面に対して略同一平面になる第２の位置の間をヒンジ式に変位可能なように前記ヒンジに取り付け可能である
【００２３】
前記本体は、それぞれ表示面を形成する４つの平面を有する、もしくはそれぞれが表示面を形成する３つの平面を有する立方体もしくは三角形であって、前記表示部材は略平面であり、前記本体の縁部に隣接し、２面の表示面に近接して、使用時、ヒンジ式に前記第１と第２の位置の間を変位可能になるようにヒンジに取り付け可能としてもよい。
【００２４】
前記表示部材は前記本体の前記縁部に位置する第１のヒンジ軸を中心としてヒンジ式に変位可能であり、前記表示部材は、さらに前記ヒンジで前記第１のヒンジ軸に対して略直角をなす第２のヒンジ軸を中心として回転可能としてもよい。
【００２５】
前記取り付け構造は、前記本体を前記第１のヒンジ軸に平行に延在する中心通路の形態であり、使用時、前記マイクロフォンのハンドルをその内部に受容して取り付けることができるようにしてもよい。
【００２６】
前記取り付け構造は、前記マイクロフォンの前記ヘッドを、前記本体内に軸方向に受容可能であり、使用時、前記マイクロフォンへの取り付けることができるように前記本体の中空開口の形態であってもよい。
【００２７】
前記表示部材は前記少なくとも第１と第２の位置の間を変位可能となるように手動で起動可能であり、さらに／または、前記アクセサリは、適した制御信号に自動で応答して前記少なくとも第１と第２の位置の間で前記表示部材を変位するよう操作可能な、電気機械的に変位可能な装置を備えてもよい。
【００２８】
前記取り付け構造は、使用時、前記マイクロフォンの前記ヘッドに取り付けるための環状取り付け構造でもよい。前記環状取り付け構造は、異なるサイズのマイクロフォンのヘッドに取り付けるために弾性的に可撓性を有するリングでもよい。
【００２９】
前記表示部材は、適したスペーサによって前記本体及び／または表示面から間隔を空けて位置していてもよい。
【００３０】
本発明の第２の局面によると、マイクロフォンの使用方法が提供される。前記方法は、
マイクロフォンアクセサリは、少なくとも１つの伝達情報を表示するための少なくとも１面の表示面を有する少なくとも１つの本体と、前記マイクロフォンアクセサリを前記マイクロフォンに取り付けるための取り付け構造と、前記本体に固定してもしくは取り外し可能に取り付けた少なくとも１つの表示部材とを備えた前記マイクロフォンアクセサリを設けることと、
前記マイクロフォンアクセサリに固定してまたは取り外し可能に取り付け可能な表示部材を操作することによって前記マイクロフォンアクセサリの前記表示面を延長または補足することとを含む。
【００３１】
前記表示部材が前記マイクロフォンアクセサリに取り外し可能に取り付け可能である場合は、前記方法は、前記表示部材を前記マイクロフォンアクセサリの前記表示面の縁部に隣接して取り付けることを含み、前記表示部材が前記マイクロフォンアクセサリの前記表示面の縁部に隣接して前記マイクロフォンアクセサリに固定して取り付け可能である場合には、前記方法は、ヒンジを中心として前記表示部材を変位させて前記表示面と略同一平面としてもよい。
【００３２】
本発明の第３の局面によると、長手のハンドルとヘッドを有するマイクロフォンに使用するマイクロフォンアクセサリが提供され、前記マイクロフォンアクセサリは、
前記アクセサリを前記マイクロフォンの前記ヘッドに取り付けるためのリングの形態で、少なくとも１つの伝達情報を表示する表示面を有する環状の取り付け構造と、
使用時、１つ以上の表示部材が前記マイクロフォンの前記ヘッドから略径方向外方に延在するように前記取り付け装置に取り付け可能な１つ以上の伝達情報を表示する前記１つ以上の表示部材とを備えたマイクロフォンアクセサリと、を備える。
【００３３】
本発明の第４の局面によると、長手のハンドルとヘッドを有するマイクロフォンに使用するマイクロフォンアクセサリ組立体が提供され、前記マイクロフォンアクセサリ組立体は、
使用時、前記アクセサリを前記マイクロフォンの前記ヘッドに取り付けるための環状取り付け構造と、
使用時、前記１つ以上の表示部材が前記マイクロフォンの前記ヘッドから略径方向外方に延在するように前記取り付け構造に取り付け可能な１つ以上の伝達情報を表示する１つ以上の表示部材とを備えたマイクロフォンアクセサリと、
内部に前記マイクロフォンの前記ヘッドを軸方向に受容するための中心穴と、前記１つ以上の表示部材と前記取り付け構造の間のインターフェース及び／またはマイクロフォンヘッドと係合する１つ以上の横方向の溝穴を形成するマイクロフォンウィンドシールドとを備え、前記マイクロフォンウィンドシールドは、その操作面に少なくとも１つの伝達情報を備える、前記マイクロフォンアクセサリ組立体。
【００３４】
前記環状取り付け構造は、１つ以上の伝達情報を表示する１つ以上の表示パネルを備え、前記マイクロフォンウィンドシールドは、使用時、マイクロフォンのヘッド上に位置しているときには、前記マイクロフォンアクセサリの前記１つ以上の表示パネルの位置に対応する位置に設けた１つ以上の表示開口を備え、前記１枚以上の表示パネルは、使用時、前記マイクロフォンウィのシールドの前記少なくとも１つ以上の表示開口を通して見ることができるように構成されている。
【図面の簡単な説明】
【００３５】
【図１】図１は、本発明の例示の実施形態によるマイクロフォンアクセサリの斜視図である。
【図２】図２は、本発明の例示の実施形態によるマイクロフォンアクセサリの上面図である。
【図３】図３Ａ〜３Ｃは、本発明の例示の実施形態によるマイクロフォンアクセサリの上面図である。
【図４】図４Ａ〜４Ｂは、本発明の例示の実施形態によるマイクロフォンアクセサリの上面図である。
【図５】図５Ａ〜５Ｄは、本発明の例示の実施形態によるマイクロフォンアクセサリの斜視図である。
【図６】図６は、本発明の例示の実施形態によるマイクロフォンアクセサリの斜視図である。
【図７】図７Ａ、７Ｂは、本発明の例示の実施形態によるマイクロフォンアクセサリの前面図である。
【図８】図８は、本発明の例示の実施形態によるマイクロフォンアクセサリの前面図である。
【図９】図９Ａ〜Ｂは、本発明の例示の実施形態によるマイクロフォンアクセサリの斜視図である。
【図１０】図１０Ａ〜１０Ｃは、本発明の例示の実施形態によるマイクロフォンアクセサリならびにマイクロフォンアクセサリの一部を示す斜視図である。
【図１１−１】図１１Ａ〜１１Ｅは、本発明の例示の実施形態による各種マイクロフォンアクセサリの上面及び前面図である。
【図１１−２】同上。
【図１２】図１２は、本発明の例示の実施形態によるマイクロフォンアクセサリの斜視図である。
【発明を実施するための形態】
【００３６】
ここで使用する用語「伝達情報」は、永久的もしくは一時的に、静的及び／または動的及び／または電子的及び／または電気機械的及び／または機械的に、少なくとも印、マーク、広告、ロゴ、ブランド、ブランド名、商品名、商標、記号、図、イラスト、クーポン、プロモーションメッセージ、記号、数字、文字、単語、記号セット、描写、グラフィクス、画像、知的財産権、縮小するか否かに関わらず、二次元画像、三次元画像、三次元レンダリングまたはモデル、そして伝達情報を表すホログラム、エンハンスドリアリティ、バーチャルリアリティ、拡張リアリティ及びまたは他の物理的形態の、データ及び／または伝達情報を含む。ここでは、単数は、複数も含み、またその逆も同じである。
【００３７】
伝達情報は、電子表示装置を使って表示する電子伝達情報でもよく、そして／または、伝達情報は、非電子的可変または静的伝達情報でもよく、そして／または伝達情報は、電気機械的に交換可能な伝達情報でもよく、そして／または伝達情報は、拡散現実伝達情報でもよく、そして／または伝達情報は、バーチャルリアリティ伝達情報でもよく、そして／または伝達情報は、投射した伝達情報でもよい。電子的に可変の伝達情報は、少なくとも１台の電子表示装置を使って表示してもよい。伝達情報は、少なくとも１本のレーザービーム及び／または発光プロジェクタのような少なくとも１台の投射装置及び／またはバーチャルリアリティ装置及び／または拡張リアリティ装置を使って表示してもよい。
【００３８】
静的伝達情報は、紙、ボール紙、プラスチック、ビニル、壁、ペイントした表面、ゴム、前記または他の適した材料の組み合わせのような材料の表面上及び／または下に表示してもよく、また、適した表面または材料または化合物に印刷してもよい。静的伝達情報は、材料に取り外し可能にあるいは永久的に取り付けてもよい。静的表示は、静的表示の面上に印刷によって、そして／または（広告のような適した取り付け手段を使って静的表示の面に伝達情報が表示された紙などの）第２の表示、または他の適した静的伝達情報表示を取り付けることによって、各種適した手段によって伝達情報を表示できる表示面を含む。取り外し可能の静的伝達情報は、接着剤、圧力、摩擦、雄雌の取り付け手段、クリップなど、複数の手段によって表面に取り付けてもよい。
【００３９】
ここで使用する用語「発信機」または「発信された」は、光学、ビデオ、映像、レーダ、音波、超音波、可視、赤外線、音響、電気、磁気、電磁気またはその他の形態の信号をデジタル及び／またはアナログ及び／またはその他の形態で発信、放射、配信するあらゆる装置を意味する。
【００４０】
ここで使用する用語「受信機」または「受信した」は、可視、光学、レーダ、音波、赤外線、映像、超音波、音響、電気、磁気、電磁気、その他の形態の信号及び、または画像、または一連の画像（ビデオ画像など）をデジタル及び、またはアナログ、またはその他の形態で取得及び／またはキャプチャできるあらゆる装置を意味する。受信機は、写真用レンズ及びそれに関連付けた結像装置を使用して画像をキャプチャしてもよい。
【００４１】
適した背景で使用する場合、用語「装置」は、あらゆる送信機及び／または受信機及び／またはトランシーバ及び／または電子表示装置及び／または電気装置及び／または電気機械装置及び／または機械装置を含む。装置及び／または表示装置は、少なくとも１つの画像または複数の画像を表示するように構成された電子表示装置を含んでいてもよく、また、必要なソフトウェア、ハードウェア、回路、コンピュータ、電源、データ、データベース、入力手段、出力手段、コネクタ、送信及び／または受信手段、ポート、インターフェースなどを含んで必要なデータを表示及び／または使用するようにしてもよい。装置は、少なくとも１つのライト、または光源、または複数の光源を備えた電子的に可変の手段を含んでいてもよい。装置は、少なくとも１本の光線を含んでいてもよい。装置は、プロジェクタまたはホログラフィック表示、またはバーチャルリアリティ表示、または拡張リアリティ表示装置を含んでいてもよい。
【００４２】
用語「画像」は、デジタルまたはアナログに関わらず、映像、ビデオあるいは他の適した手段を使ったものに関わらず、二次元及び／または三次元及び／またはホログラフィー及び／またはバーチャル及び／または拡張に関わらず、単一の画像または一連の画像を含む。
【００４３】
この明細書では、「撮影する」または「ビデオ」を撮るとは、化学的、磁気的、工学的及びアナログ及び／またはデジタルの形態の適した方法で画像または一連の画像をキャプチャすることを意味し、（動詞として）「撮影する」または「ビデオを撮る」という場合もそれに相当する意味であるとする。画像または一連の画像の撮影またはビデオはカメラによって実現または記録される。カメラは、対象の画像を感光性材料上に、あるいは画像をキャプチャしてそれらを電気インパルスまたは信号（アナログ及びまたはデジタル）に変換する電子デバイスであるカメラによって、あるいは他の適した手段によって記録することを含む。
【００４４】
ここで使用する「連結する」「に連結する」「と連結する」と言う用語は、２つもしくはそれ以上のデバイス、ここで説明するあらゆる手段、ここで説明するアクセサリ、装置、ファイル、プログラム、媒体、構成要素、材料、ネットワーク、システム、サブシステム及びまたは手段の間の関係を意味するものであり、（ａ）直接もしくは間接的、永久的もしくは取り外し可能、あるいは、１つまたはそれ以上の他のデバイス、装置、ファイル、ケーブル、無線、プログラム、媒体、構成要素、ネットワーク、システム、サブシステムまたは手段、磁石、接着剤、摩擦、雄雌連結、クリップ、ベルクロ（登録商標）、取り付け手段、接続手段などを介した接続及び／または取り付け、（ｂ）直接または間接的または１つもしくはそれ以上の他のデバイス、装置、ファイル、プログラム、媒体、構成要素、ネットワーク、システム、サブシステム、または手段を介する通信関係、（ｃ）いずれか１つもしくはそれ以上の他の操作全体または部分において、いずれか１つもしくはそれ以上の操作が依存する機能的関係のいずれか１つもしくはそれ以上を含む。
【００４５】
ここで使用する用語「プロセッサ」及びまたは「処理する」及びまたは「コントローラ」及びまたは「制御する」は、ハードウェア、ソフトウェア、回路、または他のいずれかの組み合わせで実行しようと、またアナログ及び／またはデジタルデータを処理するためのものであろうと、デバイス、装置、プログラム、回路、データ、データベース、センサ、電源、システム及びサブシステムを処理することを意味する。
【００４６】
ここで使用する用語「データ」または「伝達情報」は、永久的か一時的かに関わらず、可視、可聴、音響、電子、磁気、電磁気、赤外、バイナリ、レーダ、レーザー、光学またはその他の態様のいずれであろうと、なんらかの印、信号、情報、マーク、バイナリデータ、記号、数字、文字、単語、ドメイン、記号セット、デジタルデータ、アナログデータ、描写及び情報を表す他の物理的な形態を含む。ここで使用するある物理的な形態のある情報を示す「データ」という用語は、異なる形態の同じ情報の描写すべてを含むものと考える。
【００４７】
図１に示すようにマイクロフォン４００には、本体４０１が取り付けられている。本体４０１は、少なくとも１面の表示面４０２を有し、好ましくは複数の面４０３、４０４及び４０５を有していてもよい。マイクロフォンアクセサリ４００ｍは、特に、本体４０１は、少なくとも１つの取り付け構造４４１を使って本体４０１を永久的または取り外し可能にマイクロフォン４００に取り付けることができるように構成されている。本体４０１の表示面４０２は、少なくとも第１の伝達情報４３０を表示する。その伝達情報は、静的伝達情報及び／または動的伝達情報でもよい。少なくとも１面の表示側面４０４または表示部材４０４は、本体４０１及び／または表示面４０２に永久的または取り外し可能に取り付けられており、少なくとも１つの表示部材４０４は、使用時、少なくとも１つの表示部材４０２を延長するために略平面的に取り付け可能または交換可能であり、少なくとも１つの表示部材４０４は、少なくとも１つの第２の伝達情報４３２を表示する。
【００４８】
好ましい実施形態では、表示部材４０４は、側面４０２に旋回可能に４０５／４０６でヒンジを介して取り付けられており、表示部材４０３は、本体４０１の側面４０２または表示面４０２に旋回可能に４０７／４０８でヒンジを介して取り付けられている。表示部材４０４は第１の位置のポイントａから矢印４０８の方向に第２の位置のポイントｂまで移動し、また、第２の位置のポイントｂから第１の位置のポイントａまで、あるいは、マイクロフォンアクセサリ４０１の使用者が望む場合には、これらの二点の間のどの位置まででも矢印４０９の方向に戻すことができる。
【００４９】
同様にして、側面４０３または表示部材４０３は原点または第１の位置のｃから矢印４１０の方向にポイントｄで示す第２の位置まで移動し、また、第２の位置のポイントｄから第１の位置ｃまで、あるいは、マイクロフォンアクセサリ４０１の使用者が望む場合には、矢印４１１の方向に戻すことができる。
【００５０】
異なる定義では、表示部材４０３は、使用時、表示部材４０３が表示面４０２に対して略直角となる第１の位置である第１の位置ｃと、表示部材４０３が表示面４０２と略同一平面状及び／または隣接して表示面４０２を延長する第２の位置である第２の位置ｄとの間を、使用時、ヒンジ式に移動可能となるよう、ヒンジ４０７／４０８に取り付け可能であることが理解できよう。このように、アクセサリの表示領域及び／または形状は変更することができる。表示面４０２の形状及び／または表示領域ｉ−ｈ−ｇ−ｆは、表示部材４０３の形状／領域ｆ−ｇ−ｅ−ｄを組み込んで形状及び／または領域ｉ−ｈ−ｅ−ｄまで延長または増加することができる。
【００５１】
カメラ４２０は、アクセサリ４０１が取り付けられたマイクロフォン４００を撮影し、その映像を視聴者に放映または発信する。伝統的なマイクロフォンフラグは、固定され、移動しない位置（図示せず）にあるときには、互いに垂直な側面または表示面を有する。このように、表示部材４０４が位置ａにあり、表示部材４０３が位置ｃにある伝統的なマイクロフォンフラグとして構成されているときには、アクセサリ４０１の撮影では、カメラ４２０や視聴者には、単にまたは実質的に表示面１つだけ、つまり伝達情報４３０を表示または伝える表示面４０２だけが見え、実質的な目的としては、伝達情報４３１と４３２は撮影の視聴者からは見えない。表示部材４０２上の伝達情報４３２が、宣伝であり、表示部材４０３上の伝達情報４３１も宣伝であり、そして、使用時にそれら宣伝を見る視聴者の数によって値段がつけられている場合には、その広告または伝達情報４３１及び４３２は、視聴者が見えないのであるから、その撮影ブロードキャスタまたは発信者が料金を請求することができない。
【００５２】
有意に、マイクロフォンアクセサリ４０１は、人の手または力によって、または電気機械装置を使って少なくとも１つの変位手段を使って伝達情報４３２（静的伝達情報及び／または電子的に可変の伝達情報などを含む）を含む表示部材４０４を移動または変位させて表示面４０２と伝達情報４３０に合わせることができるように構成されている。このように、伝達情報４３２がカメラ４２０で撮影でき、視聴者に発信できるので、テレビ局は、１０００人の視聴者に対するコストに基づいて、あるいは、そのテレビ局が適していると思われる他の方法で広告の料金を請求することができる。伝達情報４３１を表示している表示部材４０３は、伝達情報４３２を表示している表示部材４０４と同時に、位置ｃから伝達情報４３０を表示する表示面４０２に隣接する位置ｄへ変位させてもよいということになる。同時に表示部材４０３と表示部材４０４を表示面４０２に合わせることによって、表示面４０２を延長し、また、同時に伝達情報４３１、４３２及び４３０を表示することによって、それら伝達情報が同時に表示されて撮影され、視聴者に発信されるのでポテンシャルな収益がさらに増加する。
【００５３】
さらに、表示部材４０４、４０３を表示面４０２と略一致させるように変位させることにより、競合他社のマイクロフォンフラグをカメラ４２０の視野から見えなくする、または覆うことができ、それにより、本体４０１の使用者が競争上、優位に立つことができる。
【００５４】
大切なことは、伝達情報のポテンシャルな寸法及び／または領域及び／または形状を大きくする及び／または変更することである。例えば、発信者が視聴者に伝達したい伝達情報は、例えば、文字Ａ、Ｎ、Ｄを含むとする。一緒に使用する場合、使用時、典型的に見える表示パネルまたは側面が１つしかない従来のマイクロフォンフラグ（図示せず）の表示面では、伝達情報ＡＮＤは視聴者からは小さすぎで見づらく、あるいは、広告者は、その伝達情報を、もっと大きい寸法の表示領域に表示すること、もしくは別の形の表示領域とすることを望むであろう。
【００５５】
このように、マイクロフォンアクセサリ４０１を使用すると、文字「Ａ」は、表示部材４０３を使って表示でき、文字「Ｎ」は、表示面４０２を使って表示でき、文字「Ｄ」は、表示部材４０４を使って表示できる。表示部材４０３が位置ｄまで開き、表示部材４０４が位置ｂまで開けば、それら結合した領域には、少なくとも１つの、より大きい伝達情報を収容可能となり、より大きい伝達情報「ＡＮＤ」を書き出すことができる。これにより、伝達情報発信者または広告者は、その伝達情報を表示するのに私用するフォーマットやサイズが大きいので満足し、テレビ局は伝達情報発信者や広告者が使用した追加のスペースに対して割増金を請求することができる。また、表示部材４０３を第１の伝達情報発信者が使用し、表示面４０２と表示部材４０４を第２の伝達情報発信者が使用して、４０２〜４０４の伝達情報を結合して表示することなどもできる。
【００５６】
伝達情報は、少なくとも１つの静的伝達情報及び／または少なくとも１つの動的伝達情報及び／または少なくとも１つの電子的に可変な伝達情報などを含んでもよい。伝達情報は、どの表示部材または面でも、永久的に、または取り外し可能に、直接または間接的に取り付けることができる。少なくとも１つの静的で非電子的に可変の伝達情報は、印刷媒体及び／または二次元のもの及び／または三次元のものでもよい。例えば、少なくとも１つの伝達情報を本体４０１の少なくとも１つの表示部材に直接印刷してもよい。少なくとも１つの伝達情報を紙及び／またはビニル及び／またはプラスチック材料及び／またはプラスチック被覆材料及び／または写真用紙（マットまたは光沢または他の仕上げのタイプ）あるいは他の適した材料に印刷し、そのような伝達情報を少なくとも１つ、永久的及び／または取り外し可能な接着剤を使って、本体４０１の少なくとも１つの表示部材に取り付けてもよく、あるいは、磁気紙を使って少なくとも１つの静的伝達情報を表示することができる場合には少なくとも１つの伝達情報を少なくとも１つの表示部材に磁気的に取り付けてもよい。
【００５７】
本体４０１は、アクセサリ４０１が少なくとも１台の電子的に可変の表示装置を使って少なくとも１つの電子伝達情報を表示するように構成できるよう、ハードウェア、ソフトウェア、送信機、受信機、プロセッサ、有線、無線送信機及び／または受信機、電源、ＣＰＵ、回路、コンピュータ、エレクトロニクス、画面、タイマ、クロック、構成要素、データベース、記憶装置、データなど、すべての必要な構成要素を備えていてもよい。プロセッサは、少なくとも第１の電子的に可変の伝達情報を制御するように構成してもよい。プロセッサは、少なくとも第１の電子的に可変の伝達情報と少なくとも第２の伝達情報を制御して異なるものもしくは同一のものとし、その場合、プロセッサは、さらに少なくとも同一の第１と第２の伝達情報を表示面及び／または表示部材の表示画面上にそれぞれ維持するように、もしくは少なくとも同一の第１と第２の伝達情報の表示を表示面及び表示部材の表示画面それぞれにわたって融合するように構成してもよい。
【００５８】
マイクロフォン付属品は、四面（立方体）または三角系（三面）の形状でもよく、また、少なくとも１面が少なくとも一方向に変位可能としてもよい。あるいは、マイクロフォンアクセサリは、複数の移動可能または変位可能な表示部材を有する複数の面を備え、表示部材を複数の方向に移動可能としてもよい。
【００５９】
図２に示すように、使用時、少なくとも１つの表示部材４０４を第１の位置から第２の位置まで及び／または第２の位置から第１の位置まで、本体５０１の縁部の、またはその近くのヒンジ５０５を介して、矢印５０３で示す方向に第１の軸を中心としてヒンジ式に変位可能としてもよい。表示部材４０４は、さらに、第１のヒンジ軸に略直角な第２の軸５０４を中心として矢印５０７及び／または５０８の方向に回転可能としてもよい。
【００６０】
表示部材４０３は、矢印５０９、５１０、５１１及び５１２で示すようにいかなるまたはすべての方向に回転してもよく、また、スペーサ部材もしくはアーム５１３などのような適したスペーサ５１３によって、部材４０３が本体５０１から５１４で示す間隙または空間によって本体５０１から間隔を空けて設けられてもよい。
【００６１】
図３Ａに示すように、マイクロフォンアクセサリ７００は、発泡体７０１と、本体７００を通って延在し、アクセサリ７００をマイクロフォンへ取り付けるための、マイクロフォンのハンドル（図示せず）を受容できるような中央通路７０２とを備えていてもよい。面７０４及び７０６は、発泡体７０１に変位可能に隣接していてもよい。面７０４及び７０６が、第１の位置ｃから第２の位置ａ、そしてそれぞれ第１の位置ｄから第２の位置ｂに、矢印７０７及び７０８によって示された方向にそれぞれ変位すると、表示部材７０４及び７０６は発泡体７０１が露出したままの状態で開いて見えるようになり、表示面７０３を延長する。
【００６２】
第１または折り畳んだ、または収容された位置にあるときには、点ｃ及びｄにおいて、表示面７０４及び７０６は、それぞれ、表示面として説明することができ、第２の位置の点ａ及びｂに拡げた、または展開したときには、表示部材７０４及び７０６は、表示部材として説明することができる。このように、表示面（収納したとき）及び表示部材（展開したとき）の少なくとも二つの機能を有していてもよい。展開したときには、表示部材は、表示面を延長することができる。
【００６３】
第２の位置の点ａ及びｂでは、表示部材７０４及び７０６は伝達情報ｗ及びｘをそれぞれ前Ｆに向かって表示してもよい。表示部材７０４及び７０８が１８０度回転すると、伝達情報ｗ及びｘは後Ｒを向き、伝達情報ｙ及びｚは、もともと後Ｒを向いていたものが、それぞれ前Ｆを向くようになる。有意なことに、これにより、アクセサリ７００により、少なくとも２つの追加の伝達情報が表示でき、それにより、アクセサリ７００は、その追加の伝達情報からさらに収入を増やすことができるようになる。さらに、これは、使用者（通常は現場にいる者）がオフィスや他の場所に戻って１つの伝達情報から別の伝達情報に交換する必要がない、すなわち、伝達情報ｗを伝達情報ｙに交換する必要がないことを意味する。
これにより、時間とお金と手間が節約でき、静的で非電子的に可変の伝達情報の仮想瞬時変化を可能とする。
【００６４】
別の実施形態では、図３Ｂに示すように、表示部材７０３、７０４、及び７０６が少なくとも１つの伝達情報を表示してもよい。アクセサリ７００の少なくとも１面の表示面には、少なくとも１つの磁石７２０または複数の磁石７２０、７２３、及び７２４が取り付けられている。アクセサリ７００の複数の表示部材７０６及び７０４には、永久的にまたは取り外し可能に複数の磁石７２１と７２２、及び７２５と７２６がそれぞれに取り付けられていてもよい。
【００６５】
好ましい実施形態では、アクセサリ７００は、少なくとも１つの補助表示部材７３０または複数の補助表示部材７３０、７３１、及び７３２を備えていてもよい。少なくとも１つの補助表示部材は、少なくとも１つの表示部材に永久的にまたは取り外し可能に取り付けられていてもよい。補助表示部材は、永久的にまたは取り外し可能に表示部材及び／または表示面に取り付けるための、少なくとも１つの磁石７３３を含んでいてもよい。補助表示部材は、少なくとも１つの伝達情報を含む及び／または表示するようにしてもよい。伝達情報は少なくとも１つの静的で非電子的に可変の伝達情報及び／または少なくとも１つの電子的に可変の伝達情報及び／または少なくとも１つの投射した伝達情報、及び／または少なくとも１つの電気機械的に変位可能な伝達情報を含んでいてもよい。補助表示部材は、少なくとも１つの静的で非電子的に可変の伝達情報表示及び／または少なくとも１台の電子的に可変の表示装置及び／または少なくとも１台の投射装置及び／または電気機械表示装置を含む少なくとも１台の他のタイプの表示装置を含んでいてもよい。
【００６６】
補助表示部材７３０は、アクセサリ７００の少なくとも１面の表示面と略一致するように、例えば、補助表示部材７３０が、表示部材７０６と略一致するように構成してもよく、また、表示部材７０６と略同じ寸法及び／または表面積でもよい。補助表示部材７３０には、少なくとも１つの伝達情報７５０を表示してもよい。補助表示部材７３０の少なくとも１つの磁石７４０は、その極性が正または負であり、括弧で示すように、磁石７４０は正の極性を有する。表示部材７０６の相手側磁石７２１は、括弧で示すような負の極性を有する。使用時、補助表示部材７３０の正の極性の磁石７３３は、表示部材７０６の負の極性の磁石７２１に引き付けられるので、補助表示部材７５１の表示面７２０への取り付け及び補助表示部材７５２の表示部材７０４への取り付けのための補助表示部材７３０の表示部材７０６への取り外し可能または永久的などの取り付け手段として機能する。
【００６７】
図３Ｃに示すように、複数の補助表示部材７３０、７３１及び７３２が、磁石を使用して表示部材７０６、表示部材７０３、及び表示部材７０４にそれぞれ取り付けられている。
【００６８】
補助表示部材７３０、７３１及び７３２の表示面７４０、７４１及び７４２は、それぞれ、少なくとも１つの伝達情報及び／または複数の伝達情報を表示することができる。例えば、好ましい実施形態では、別の広告者からの少なくとも１つの別の伝達情報７５０、７５１及び７５２を補助表示部材７３０、７３１及び７３２のそれぞれによって表示することができる。また、別の好ましい実施形態では、伝達情報７５０、７５１及び７５２を結合して１つのコヒーレントな伝達情報とすることもできる。アクセサリ７００の少なくとも２つの面は、少なくとも１つの表示及び／または表示手段によって少なくとも１つの伝達情報を表示するための一体化した及びまたは単一の表示領域を提供するように結合されている。別の例示の実施形態では、伝達情報７５０及び７５１を１つの第１の伝達情報及び／または表示領域にまとめ、伝達情報７５２は単一の第２の伝達情報及び／または表示領域などからなるように構成してもよい。補助表示部材及び／または表示部材の表示面の寸法、面積、形状及び／またはデザインは同じでなくてもよく、異なる寸法、面積、形状及び／または設計でもよく、表示面または表示部材より大きくても、また小さくてもよい。補助表示部材は、二次元及び／または三次元で対象、記事、物質、装置、製品、画像、広告、商品、商品名、商標、サービスマーク、印、伝達情報、知的財産権などを含んでいてもよく、また、さまざまな形状及び寸法でよく、例えば、補助表示部材は、平坦及び／または略平坦及び／または角丸及び／または湾曲したもの及び／または整形したものなどでもよい。
【００６９】
図４Ａに示すように、アクセサリ８００は、マイクロフォンのハンドル、ステム、もしくは柄を摩擦的に軸方向に受容できる穴８０２を形成した発泡芯８０１（あるいはゴム及び／またはプラスチックフィンガーなど、他の適した材料）を含むものでもよい。表示面８０３、８０４、８０５及び８０６の第１のセットは、発泡体８０１を囲む。第２の表示面８０７と、少なくとも１つの表示部材８０８及び／または８０９及び／または８１０の第２のセットは、表示面８０３、８０４、８０５及び８０６を囲う、及び／またはそれらに隣接してもよく、ここで想定しているように変位可能で、次に説明する本発明の例示の実施形態によるアクセサリ８００の表示面積を本質的に拡張するようにしてもよい。
【００７０】
本体８００は、第１または「閉じた」状態に示されている。伝達情報Ａは、表示面８０３によって表示可能な静的伝達情報でもよいが、静的伝達情報８２２を表示している表示部材８０９によって視野から隠れているため第１の位置では、見えない。伝達情報Ｂは、表示面８０４によって表示可能な静的伝達情報でもよいが、静的伝達情報８２１を表示している表示部材８０８によって視野から隠れているため第１の位置では見えない。伝達情報Ｃは、表示面８０６によって表示可能な静的伝達情報でもよいが、静的伝達情報８２３を表示している表示部材８１０によって視野から隠れているため第１の位置では見えない。表示面８０５は、伝達情報を表示しない。
【００７１】
表示部材８０９は、表示伝達情報８２２を第１の位置に表示してもよい。表示部材８０８は、表示伝達情報８２１を第１の位置に表示してもよい。表示部材８０５は、表示伝達情報８２０を第１の位置に表示してもよい。表示部材８１０は、表示伝達情報８２３を第１の位置に表示してもよい。表示面８０５に表示可能な伝達情報８２０の長さは、例えば、ｘ単位の長さである。
【００７２】
図４Ｂは、第２の、または「開放」位置にあるマイクロフォンアクセサリ８００を示す。表示面８０７は、図４Ａに示すように同じ位置に残っており、表示部材８０８、表示部材８０９、及び表示部材８１０は図示のごとく第２の位置に移動している。
【００７３】
単一の伝達情報または複数の伝達情報の前記表示離領域のポテンシャルな累積長さは、４ｘ単位である。１つの長い伝達情報が表示できる、及び／または、１つ以上の伝達情報を、同じ１つのマイクロフォンアクセサリ８００であるが４倍の領域を使って同時に表示できるということは、広告者にとって非常に重要なことである。アクセサリ８００は、その表示面の前記寸法及び／または面積及び／または形状を大きくするシステム、手段、及び方法を含む。
【００７４】
伝達情報８２３、８２０、８２１及び８２２は、略一致して互いに隣接し、連続していてもよく、また、表示面８０７及び／または他の表示部材を平面的に延長する、例えば、表示部材８０９は平面的に表示部材８０８を延長してもよい。伝達情報Ａ、Ｂ及びＣは、すべての表示部材８０８、８０９及び８１０が、図示のごとく、その第２の、または開放位置にあるときに見えるように構成してもよい。このような展開は、ユーザによって手動で、及び／または電気及び／または電子モータ（８４０、８４１）のような電気機械装置と、プッシュ／プルロッド（８４２、８４３）のような機械的手段の少なくとも一方を使って行うことができ、必要な電気回路、モータ、電源、ソフトウェア、ハードウェア、プログラミング、タイミング、センサ、ヒンジ、クリップ、開閉手段など、あるいは有線、無線でプログラムを利用することを含んでいてもよい。
【００７５】
表示部材は、二次元及び／または三次元で対象、記事、物質、装置、製品、画像、広告、商品、商品名、商標、サービスマーク、印、伝達情報、知的財産権などを含んでいてもよく、また、さまざまな形状及び寸法でよく、例えば、表示部材は、平坦及び／または略平坦及び／または角丸及び／または湾曲したもの及び／または整形したものなどでもよい。
【００７６】
図５Ａに示すように、アクセサリ５００は、数字５０７で示す静的伝達情報Ｄを表示する表示面５０１と、数字５０３で示す静的伝達情報Ａを表示する表示部材５０２と、表示部材５０２によって視界から隠れ、数字５０５で示す静的伝達情報Ｃを示す表示面５０６を少なくとも備えている。表示部材５０２の裏側５０８には、数字５０６で示す静的伝達情報Ｂが表示されているが、表示部材５０２の前側５０９によって視野から隠れている。表示部材５０２は第１の位置もしくは収納位置にある。
【００７７】
図５Ｂに示すように、表示部材５０２は、矢印５０４の方向に表示部材５０２が表示面５０１に対し略平坦となるように移動してもよい。静的伝達情報５０３を表示する表示部材５０２を、静的伝達情報５０７を表示する表示面５０１と略一致するように移動することによって、表示部材５０２は、表示面５０１を延長し、同時に静的伝達情報５０５を表示面５０６上に露呈する。表示部材５０２は、矢印５１０及び５０４の方向に回転させてもよい。表示部材５０２は、表示面５０９の上に静的伝達情報５０３を表示して裏の表示面５０８上の静的伝達情報５０６を隠す。
【００７８】
図５Ｃに示すように、表示部材５０２は、図５Ｂに示す位置に対して１８０度回転させられ、前に裏側であった表示側５０８上に、今度は静的伝達情報５０６を表示し、同時に、前に前側であった表示面５０９上で静的伝達情報５０３を視野から隠し、静的伝達情報５０５が表示面５０６上で表示されるようになる。表示面５０８上の静的伝達情報５０６を表示する表示部材５０２は、静的伝達情報５０７を表示する表示面５０１と今度は略一致し、表示部材５０２は、表示面５０１を延長し、同時に静的伝達情報５０５を表示面５０６上に露呈する。
【００７９】
図５Ｄに示すように、表示面５０９上に静的伝達情報５０６を示す表示部材５０２が図５Ｃに示すような矢印５０７の方向に移動され、第２または第２の収納位置となる。表示面５０１は、静的伝達情報５０７を表示する。
【００８０】
図５Ａから５Ｄに示してきたように、変位可能な表示部材は表示面を延長でき、及び／または表示部材を使用した少なくとも１つの伝達情報の迅速な変更を可能とし、さらに／またはアクセサリの形を変えてもいい。
【００８１】
さらなる実施形態において、図６で示すように、アクセサリ１０００は、少なくとも１面の表示面１００１を備える。少なくとも１つの表示部材１００２を永久的に、または取り外し可能に表示面１００１に取り付けて、表示面１００１を延長してもよい。好ましい実施形態では、表示部材は、磁石、クリップ、ベルクロ（登録商標）などによって表示面に取り付けてもよい。第２の表示部材を第１の表示部材に取り付け、第３の表示部材を第２の表示部材に取り付けるなどしてもよい（図示せず）。第１の表示部材を第１の表示面に取り付け、さらに／または第２の表示部材を第１の表示面に取り付け、さらに／または、第３の表示部材を第１の表示面に取り付けるなどしてもよい。
【００８２】
少なくとも１つの伝達情報１３０３を表示する第２の表示部材１００３を、表示面１００１上の磁石１１０７に取り付け可能な磁石１２０７を使って永久的に、または取り外し可能に表示面１００１に取り付けてもよい。
【００８３】
少なくとも１つの伝達情報１３０４を表示する第３の表示部材１００４を、表示面１００１上の磁石１１０１及び１１０２にそれぞれ取り付け可能な磁石１２０１及び１２０２を使って永久的に、または取り外し可能に表示面１００１に取り付けてもよい。
【００８４】
少なくとも１つの伝達情報１３０５を表示する第４の表示部材１００５を、表示面１００１上の磁石１１０５及び１１０６にそれぞれ取り付け可能な磁石１２０５及び１２０６を使って永久的に、または取り外し可能に表示面１００１に取り付けてもよい。
【００８５】
複数の表示部材を少なくとも１面の表示面に取り付けてもよい。表示部材１００２、１００３、１００４及び１００５を表示面１００１に表示面１００１と略一致させて取り付けてもよく、また、表示面１００１を平面的に延長してもよい。少なくとも１面の表示面に取り付けた少なくとも１つの表示部材がない場合には、表示面１００１の伝達情報を表示するのに利用可能な領域を固定する。少なくとも１つの表示部材を表示面１００１に取り付けることによって、表示面１００１とアクセサリ１０００の利用可能な伝達情報表示領域は増えて、さらに／またはアクセサリ１０００の形状及び／または寸法を変更することができる。例えば、表示部材１００２、１００３、１００４、及び１００５を表示面１００１に取り付けることによって、アクセサリ１０００は少なくとも４つの追加の伝達情報１３０２、１３０３、１３０４、１３０５を表示することができる。
【００８６】
先に説明したように、表示部材を使った表示面の延長により、増加する表示部材に料金を請求できる追加の広告を表示できるので、アクセサリの収益のポテンシャルが大きく上昇する。例えば、延長する表示部材を使用しない場合、アクセサリの使用者、すなわち、テレビ局は、アクセサリから（例えば、表示面１００１を使う）テレビ局のコールサインを取り除くことをもっとも嫌がるであろう。しかしながら、少なくとも１つの表示部材、すなわち、表示部材１００２を表示面１００１に取り付けることによって、テレビ局は同時に、テレビ局が料金を課すことができる少なくとも１つの広告１３０２を表示しながらそのコールサイン１３０６を保持することができる。これにより、テレビ局は、「活用できない」放映時間を使って、新しい、広告者にとっての番組内での広告の機会を作ることができる。
【００８７】
少なくとも１つの補助表示部材１１２５は、磁石、接着剤、ベルクロ（登録商標）、クリップ、または他の適した手段を使って、少なくとも１つの表示部材１００２に永久的または取り外し可能に取り付けてもよい。補助表示部材１１２５は、少なくとも１つの伝達情報及び／または複数の伝達情報を表示することができる。補助表示部材は、二次元及び／または三次元で対象物、記事、物質、装置、製品、画像、広告、商品、商品名、商標、サービスマーク、印、伝達情報、知的財産権などを含んでいてもよく、また、さまざまな形状及び寸法でよく、例えば、補助表示部材は、平坦及び／または略平面及び／または角丸及び／または湾曲したもの及び／または整形したものなどでもよい。
【００８８】
図７Ａに示すように、マイクロフォン００２はハンドル００４とヘッド００３を有する。マイクロフォンフラグ００１は、取り付け手段００５を使ってマイクロフォンヘッド００３に取り付けることができる。フラグ００１は、１つの静的伝達情報００６を表示してもよい。
【００８９】
図７Ｂに示すように、表示部材００９はマイクロフォンフラグ００１の表示面００７に取り付けて、表示面００７を延長させてもよい。表示部材００９は、少なくとも１つの伝達情報０１１または複数の伝達情報０１１、０１２を表示することができる。少なくとも１つの補助表示部材０１３は、少なくとも１つの表示部材００９に永久的にまたは取り外し可能に取り付けられていてもよい。
【００９０】
図８に示すように、表示部材の面積及び／または形状及び／またはサイズ及び／または寸法及び／またはデザインは、表示面の面積及び／または形状及び／またはサイズ及び／または寸法及び／またはデザインとは同じでなくてもよく、異なる面積及び／または形状及び／またはサイズ及び／または寸法及び／またはデザインを有するように構成してもよく、また、表示面より大きくても小さくてもよい。表示部材は、二次元及び／または三次元で対象物、記事、物質、装置、製品、画像、広告、商品、商品名、商標、サービスマーク、印、伝達情報、知的財産権などを含んでいてもよく、また、さまざまな形状及び寸法でよく、例えば、表示部材は、平坦及び／または略平面及び／または角丸及び／または湾曲したもの及び／または整形したものなどでもよい。少なくとも１つの補助表示部材（２０４０、２０４１）は、少なくとも１つの表示部材（２０１８、２０１９）及び／または少なくとも１面の表示面に永久的にまたは取り外し可能に取り付けられていてもよい。
【００９１】
アクセサリ８２０には、広告者の製品と同じ形状及び／またはサイズのボトル８２２などのような対象物を示す表示部材８２１が永久的または着脱式に取り付けられていてもよい。表示部材８２１は、少なくとも１つの伝達情報８２６を表示できる表示面８２５に取り付けられ、延長していてもよい。表示部材８２１に加えて、ロゴ及び／または商標及び／または商品名などの、少なくとも１つの伝達情報８２３を表示してもよい。少なくとも１つ追加の表示部材８２４がアクセサリ８２０に取り付けられていてもよい。表示部材８２４は、商品名などでもよい。少なくとも１つの表示部材８２４を少なくとも１つのアクセサリ８２０の縁に取り付けてもよい。
【００９２】
表示部材は、照明しても照明しなくてもよい。そのためには、各表示部材は内部光源、例えば、発光ダイオード（ＬＥＤ）などを備え、伝達情報が照明され使用時にさらに見やすくなる。いくつかの例示の実施形態では、マイクロフォンの本体は、光源（ランプまたはＬＥＤなど）を設け、光が光学ファイバーケーブル、ライトガイドなどを介して表示部材に導かれる。
【００９３】
図９Ａに示すように、アクセサリ８００は、少なくとも参照番号８０２で示す静的伝達情報Ｄを表示する表示面８０１を備える。前面に参照番号８０４で示す静的伝達情報Ａを表示し、その裏側の参照番号８０５で示す静的伝達情報Ｂを表示する表示部材８０３は、アクセサリ８００に永久的または着脱式に取り付けてもよい。静的伝達情報Ｂ８０５は、表示部材８０３の前面８０６によって視界から隠れているので見えない。表示部材８０３は表示面８０１に取り付けて矢印８０７の方向に延長してもよく、また、矢印８０８の方向に表示面８０１から取り外してもよい。表示面８０１から取り外すと、表示部材８０３は矢印８０９の方向に１８０度回転させることができる。
【００９４】
図９Ｂに示すように、表示面８０１から取り外し、前のパラグラフで説明したように回転させたら、表示部材８０３は矢印８１０の方向に表示面８０１に取り付けなおしてもよい。その結果、図９Ａの表示部材８０３の裏側にある静的伝達情報Ｂ８０５が、その前面に表示され、図９Ａの表示部材８０３の前面にあった伝達情報Ａがその裏側にきて、視野からは隠れる。
【００９５】
表示部材は、各表示面８１１、８１２に少なくとも１つの伝達情報を表示する少なくとも２つの表示面８１１、８１２を備えていてもよい。静的伝達情報が表示面と同じサイズであると仮定すると、アクセサリ８００の表示部材８０３は、２つの静的伝達情報を表示してもよい。一方、例えば、従来のマイクロフォンフラグは、表示面に対し１つの静的伝達情報を表示するのみでもよい。これにより、非常に迅速で、通常は数秒以内で、アクセサリ８００のユーザの、表示した静的伝達情報を変更することができるようになるのに対し、従来のマイクロフォンフラグを現場でまたはオフィスや設備から離れて使用する場合には、これは不可能である。
【００９６】
図１０Ａに示すように、代替の好ましい実施形態では、少なくとも１つの表示部材２９００は、表示部材２９００をアクセサリ２９０２及び少なくとも１つの連結装置２９０３に取り付け及び／または連結するための、少なくとも１つの取り付け装置２９０１を備えていてもよい。取り付け装置２９０１は、永久的または着脱式に表示部材２９００に取り付けてもよく、さらに／または装置２９０３に永久的または着脱式に取り付けてもよい。本発明の一実施形態では、取り付け装置２９０１は、装置２９０３（次に説明する）の適した構成要素と永久的または取り外し式に開口２９０４を介して相補的に係合するためのねじ山部を備えたギヤヘッドを有するロッドの形状である。
【００９７】
図１０Ｂに示すように、二つの表示部材２９００及び２９０６は、駆動軸またはロッド２９０１及び２９１０をそれぞれ取り付けている。好ましい実施形態では、駆動軸２９１０は、ねじ山付きヘッドまたはギヤヘッド２９０８及び駆動軸２９０１は、ねじ山付きヘッドまたはギヤヘッド２９０７を備える。
【００９８】
駆動軸２９０１及び２９１０は、ヘッド２９０７及び２９０８が、例えば、（図示のロッド２９０１及びヘッド２９０７のみを有する）図１０Ｃに示すようなタイプのギヤ板２９０９を有する装置２９０３の相補的ねじ山付きギヤ装置と（取り外し可能または永久的に）接続または連結されるようにそれぞれ開口２９０４及び２９０５を通して延長または挿入してもよい。プレート２９０９は、モータ２９１１を介して通常回転可能であり、矢印２９１４（図１０Ｃ）の方向のプレート２９０９の回転がその後の軸２９０１の矢印２９１７の方向の回転に移るかもしくは回転を引き起こすように駆動軸２９０１の長軸に対して略直角なその中心軸に配設される。装置２９０３はコントローラ２９１２よびバッテリ２９１３を有していてもよい。モータ２９１１は、電気モータ及び／または機械的モータでよい。装置２９０３は電子及び／または電気システム及び／または電気機械システム及び／または機械システムを備えていてもよい。モータ２９１１が機械的モータである場合は、例えば、主ばね及び／またはねじりばね（図示せず）に動力を与えるキーを使って巻き上げてもよい。機械的に動力を与えられたエネルギーは、運動エネルギーとして使用するかまたは実際のエネルギーに変換する必要がでてくるまで蓄積され、主ばねの力がギヤを駆動できるようになると、次に、駆動軸２９０１及び２９１０を駆動させ、運動エネルギーが激減するまで表示部材２９００及びまたは２９０６を交互に駆動及び回転させる。
【００９９】
アクセサリ２９０２の装置２９０３は少なくとも１つの電気モータと、電源と、ギヤと、ロッドと、センサと、駆動軸と、センサと、回転センサと、ジャイロスコープと、アクセレロメータと、光センサと、近接センサと、モーションセンサと、赤外線センサと、温度センサと、圧力センサと、ギヤ対と、ハイポイドギヤと、リングギヤと、ディファレンシャルと、スピンドルと、軸受けと、ワイヤと、バッテリと、コントローラと、回路と、コンピュータと、クロックと、タイマと、ハードウェアと、ソフトウェアと、メモリと、受信機と、送信機と、ワイヤと、アンテナなど（全体的に、または部分的に装置２９０３を備える）を含んでいてもよい。
【０１００】
ギヤシステムは、ギヤ２９０９と２９０８と２９０７を備えていてもよく、モータ２９１１を駆動軸２９１０と２９０１に接続する対のハイポイドギヤシステムを含んでいてもよい。アクセサリ２９０２及び装置２９０３は、モータ２９１１が信号をコントローラ２９１２から受信して、モータ２９１１が装置２９０３を起動して表示部材２９００に取り付けられた駆動軸２９０１を矢印２９１５によって示された方向に回転させ、同時に（希望であれば、また、コントローラ２９１２からそのように指示されれば）、延長可能な面２９０６に取り付けた駆動軸２９１０を矢印２９１６に示されたものと反対方向に回転させるように構成されている。コントローラ２９１２は、表示部材２９００及び２９０６をそれらの開始位置から１８０度回転させ、コントローラ２９１２は、さらに表示部材２９００及び２９０６に一定期間、例えば１０秒間その位置にとどまり、さらに１８０度回転して、また、第２の一定期間、例えば１０秒間その位置にとどまり、これにより、回転と、表示部材２９００で表示する伝達情報２９３０及び２９３２の表示を交互に行い、これにより、表示部材２９０６に表示される伝達情報２９３１及び２９３３の表示を回転し変える。それに代わり、少なくとも２つのモータ（図示せず）は、それぞれ別々に駆動軸を駆動して、モータの回転とそのそれぞれの駆動軸とそのそれぞれの表示部材を、モータと駆動軸と表示部材の回転を同期化する及び／または同じ方向に回転させるようにコントローラ２９１２で制御してもよい。近接センサのようなセンサ及び／またはアクセレロメータ及び／またはジャイロスコープ及び／またはモーションセンサは、表示部材２９０６の開始位置を検出し、表示部材２９０６を１８０度（あるいは他の希望の回転角度）だけ回転させ、面２９６３の水平面に対して４５度の開始位置に戻り、希望の時間、例えば１５秒だけその位置にとどまり、表示部材２９０６を１８０度回転させるなど（図示せず）としてもよい。
【０１０１】
図１０Ｃは、モータ２９１１のギヤ２９０９を表示部材２９００の駆動軸２９０１のギヤ２９０７に接続する相補的に係合するねじ山を有するハイポイドギヤ対を示す図である。ギヤ２９０９が矢印２９１４の方向に回転すると、駆動軸２９０１が矢印２９１７の方向に回転し、表示部材２９００を矢印２９１７の方向に移動させ、それによって伝達情報２９３２を伝達情報２９３０と置き換える。
【０１０２】
図１１Ａに示すように、アクセサリ１００はアクセサリ１００をマイクロフォンのヘッドに取り付けるための取り付け構造１０１を備える。中心通路１０２が本体１０３を通り抜けて延在し、マイクロフォンのヘッドは、使用時は、その内部に軸方向に受容され、取り付けられる。少なくとも１つの表示部材１０４または複数の表示部材１０４、１０５は、ヒンジ１０６またはヒンジ１０６、１０７を使用して取り付け構造１０１に取り付けてもよい。表示部材は、それぞれ軸１０８、１０９を中心としてヒンジ１０６、１０７で回転可能としてもよい。
【０１０３】
図１１Ｂに示すように、取り付け手段１０１を使用してアクセサリ１００をマイクロフォンヘッド１１０に永久的または着脱式に取り付けてもよく、手段１０１は、調整可能なストラップ、ゴム、プラスチック、収縮性ナイロンなどを使って調整可能、延長可能、収縮可能、弾性的に可撓などとしてもよい。表示部材１０４は、１１１で取り付け構造にヒンジ式に取り付けてもよく、また矢印１１２の方向の、及び／または矢印１１３及び／または１１４の方向の軸を中心として回転可能である。表示部材１０４は、少なくとも１台の伝達情報装置を使用して少なくとも１つの伝達情報を表示してもよく、その伝達情報は、静的及び／または動的及び／または電子的に可変及び／または突出及び／または仮想及び／または拡張などでもよい。取り付け構造１０１と表示部材１０４の間には空間またはスペーサ１１５があってもよい。表示部材１０４は、少なくとも参照番号１１６で示す第１の伝達情報Ａを第１の面１１７に表示し、少なくとも参照番号１１８で示す第２の伝達情報Ｂを第２の側１１９または裏側１１９に表示してもよい。第１の位置の伝達情報１１６は見え、第２の側１１９の第２の伝達情報１１８は隠れており、見えない。１８０度回転させると、表示部材１０４は、伝達情報１１８を表示し、伝達情報１１６は、視野から隠れる。少なくとも１つの補助表示部材１２０を表示部材１０４に取り付けてもよい。アクセサリ１００は、カメラ１２６によって撮影して、複数の表示装置を使用して見えるように観客に発信してもよい。
【０１０４】
表示部材１２１は、二次元及び／または三次元で対象物、記事、物質、装置、製品、画像、広告、商品、商品名、商標、サービスマーク、印、伝達情報、知的財産権を含んでいてもよく、また、さまざまな形状及び／または寸法でよく、例えば、表示部材は、平坦及び／または略平面及び／または角丸及び／または湾曲したもの及び／または整形したものなどでもよい。表示部材１２１は、１０１及び１２４で取り付け構造にヒンジ式に取り付けてもよく、また矢印１２２の方向の、及び／または矢印１２３及び／または１２４の方向の軸を中心として回転可能である。表示部材１２１は、少なくとも１つの表示及び／また表示装置を使用して少なくとも１つの伝達情報を表示してもよく、その伝達情報１４０は、静的及び／または動的及び／または電子的に可変及び／または突出及び／または仮想及び／または拡張などでもよい。取り付け構造１０１と表示部材１２１の間には空間またはスペーサ１２４があってもよい。少なくとも１つの補助表示部材１２５を表示部材１２１に取り付けてもよい。
【０１０５】
図１１Ｃに示すように、マイクロフォンウィンドシールド１２７は、取り付け構造１０１と同様にマイクロフォンヘッド１１０も覆う。ウィンドシールド１２７は、少なくとも１面の表示面１２８を使用して少なくとも１つの伝達情報１３１を表示してもよく、第１の伝達情報１３１は、静的伝達情報及び／または動的伝達情報及び／または電子的に可変の伝達情報などでもよい。少なくとも１つの表示部材１０４は、永久的または着脱式に取り付け構造１０１に、あるいは複数の表示部材１０４及び１３７に取り付け可能でもよい。表示部材１０４は本体１０１から、及び／またはウィンドシールド１２７によって表示された少なくとも１つの伝達情報１３１から適したスペーサ１３４及び／またはスペース１３３及び／またはヒンジ１３５及び／またはロッド１３６を使って間隔を空けてもよい。表示部材１０４は、表示面１２８と連続していなくてもよいが、使用時、視聴者が、表示部材１０４が表示面１２８を延長してもよいと判断及び／または理解するよう、さらに／または第１の伝達情報１３１が直接または間接的に表示部材１０４によって表示された第２の伝達情報１３０につながるように表示面１２８と比較的近接していてもよい。例えば、ウィンドシールド１２７を使用して表示された第１の伝達情報１３１は、広告者のブランド名、例えば、「ＡＢＣブランド」などと表示し、表示部材１０４は、第２の伝達情報１３０を表示し、ＡＢＣブランドの製品の静止画像は、例えばソフトドリンクでもよい。視聴者第１の伝達情報１３１を第２の伝達情報１３０とつなげ、それによって表示面１２８が表示部材１０４に隣接していると「仮想的に捉えられる」もしくは認識されるようになる。このように、表示部材１０４は（仮想的に）表示面１２８を延長する。取り付け構造１３８は、マイクロフォンのヘッド１１０が軸方向に嵌合できるウィンドシールド１２７内の中空の開口でもよい。
【０１０６】
ウィンドシールド１２７は横方向の溝穴または開口を有し、マイクロフォンのヘッドを操作的に覆いながらスペーサ１３４を収容することができるようになっていてもよい。
【０１０７】
図１１Ｄに示すように、第１の伝達情報１３１は、マイクロフォンのウィンドシールド１２７を使用して表示される。第２の伝達情報１３０は、表示部材１０４を使用して表示される。表示部材１０４は、表示面１２８及び／または第１の伝達情報１３１に隣接している。第１の伝達情報１３１は第２の伝達情報１３０及び／または表示部材１３２によって表示された第３の伝達情報１３９に隣接していてもよい。表示部材１０４は、表示面１２８を延長してもよく、また表示部材１３２は表示面１２８を延長してもよい。第２の伝達情報１３０及び／または第３の伝達情報１３９は第１の伝達情報１３１を延長してもよい。
【０１０８】
図１１Ｅに示すように、取り付け構造１０１は少なくとも１つの表示領域１６０を備え、少なくとも１つの伝達情報を表示してもよい。アクセサリ１００または本体１００は、少なくとも１つの表示部材１０４または表示面１６３を延長する複数の表示部材１０４及び１０５を有していてもよい。第１の伝達情報１６４を提供する表示パネルは、取り付け構造１０１を使って表示してもよい。第２の伝達情報１６１は、表示部材１０４を使用して表示してもよい。第３の伝達情報１６２は、表示部材１０５を使用して表示してもよい。表示部材１０４は、表示面１６３及び／または第１の伝達情報１６４に隣接していもよい。表示部材１０５は、表示面１６３及び／または第１の伝達情報１６４に隣接していもよい。表示部材１０４は、表示面１６３を延長してもよい。表示部材１０５は、表示面１６３を延長してもよい。第１の伝達情報１６４は表示部材１０４に表示される第２の伝達情報１６１及び／または表示部材１０５によって表示される第３の伝達情報１６２に隣接していてもよい。第２の伝達情報１６１及び／または第３の伝達情報１６２は第１の伝達情報１６４を延長してもよい。表示部材１０４は、表示面１６３を延長してもよく、及び／または表示部材１０５は表示面１６３を延長してもよい。
【０１０９】
図示はしていないが、図１１Ｅを参照しながら説明したように、ウィンドシールドはアクセサリ１００または本体１００を備えるマイクロフォンヘッドに取り付け可能に構成されていてもよい。しかしながら、マイクロフォンのヘッドを内部に軸方向に受容するための中心穴に加え、ウィンドシールドは、部材１０４、１０５を収容するための、マイクロフォンのヘッドにアクセサリ１００を嵌合するような溝穴を備えていてもよいし、さらに／またはウィンドシールドは、使用時には、少なくとも１つの表示領域及び／または取り付け構造１０１の表示パネルを使用して表示された少なくとも１つの伝達情報１６４と略一致する少なくとも１つの開口を有し、少なくとも１つの伝達情報１６４をウィンドシールドの少なくとも１つの開口を通して表示することができるように構成してもよい。この例示の実施形態では、ウィンドシールドは、少なくとも１つの伝達情報を表示してもしなくてもよい。
【０１１０】
図１２に示すように、マイクロフォンアクセサリ１２００の形状は直方体または三角形でもよい。少なくとも第１の表示面１２０１は、少なくとも１つの伝達情報を表示してもよい。第１の表示面１２０１は、移動可能または変位可能ではない。第２の表示面１２０２は、少なくとも１本の軸の周りを移動可能及び／または変位可能としてもよい。第２の表示面１２０２は、第２の表示面１２０２を矢印１２０７及び／または１２０８の方向に軸１２１７を中心として移動可能とする、少なくとも１つのヒンジ１２１２に取り付け可能としてもよいし、さらに／または第２の表示面１２０２を軸１２１６を中心として矢印１２１４及び／または１２１５の方向に移動するようにしてもよい。
【０１１１】
面１２０３は、図示のように開放位置にあるときに、表示面１２０２が、ユーザの希望通りに調整した定位置に残るように表示面１２０２のサイドパネル１２０６が嵌合し、摩擦で係合する開口部１２０４を有していてもよい。サイドパネル１２０６は、使用時に矢印１２０７及び／または１２０８の方向に移動できる、すなわち、それぞれ受容開口１２０４に出入りできるようにすることで、表示面１２０９が第１の表示面１２０１に略直角となるように第２の表示面１２０２を第１または閉じた位置まで下方に移動させてもよい。サイドパネル１２０６には、第２の表示面１２０２が第２の位置にあるときに、少なくとも１つの伝達情報１２１１を表示して、第１の表示面１２０１を効果的に延長してもよい。重要なのは、ニュース会議のときのようにアクセサリ１２００が略水平面である場合には、表示部材１２０２は、略図示のように第２の位置まで上昇させて、表示部材１２０２で表示された伝達情報１２２０をカメラ１２１９で撮影して観客に配信するようにしてもよい。一方、もし、表示部材１２０２が第２の位置に移動せず、面１２０１に直角の略水平面のままである場合、カメラ１２１９は、伝達情報１２２０を撮影することはなく、伝達情報１２２０が観客に発信されることはない。
【０１１２】
別の実施形態では、第２の表示面１２０２はヒンジを備え、他の例示した実施形態で上述したものと略同様な方法でマイクロフォンアクセサリ１２００の表示を延長または補足するために変位可能な表示部材の形態でもよい。マイクロフォンは、マイクロフォンアクセサリを永久的または着脱式に取り付けるのに必要な取り付け手段及び／または取り付け構造を備えていてもよい。例えば、マイクロフォンはクリップオン、クリップオフ部、摩擦係合手段、及び／または摩擦係合部など（図示せず）を有していてもよい。
【０１１３】
本発明は、マイクロフォンアクセサリが、ユーザやテレビ局が費用を請求できる少なくとも１つの追加伝達情報または広告を表示できるようにすることでこれまで概要を説明してきた問題に取り組んでいる。第三者の広告者の広告の、テレビ局の観客への表示または放送に対して費用を請求することによって、テレビ局は、追加の高価なコンテンツを作ることなく、先に説明した「利用できない」放送時間で利益を得ることができ、自身の収益増加の流れを作ることができる。また、本発明は、新しい番組放送中に宣伝する機会を広告者に与えるものである。
【図１】
2017503212.tif 000003
【図２】
2017503212.tif 000004
【図３】
2017503212.tif 000005
【図４】
2017503212.tif 000006
【図５】
2017503212.tif 000007
【図６】
2017503212.tif 000008
【図７】
2017503212.tif 000009
【図８】
2017503212.tif 000010
【図９】
2017503212.tif 000011
【図１０】
2017503212.tif 000012
【図１１−１】
2017503212.tif 000013
【図１１−２】
2017503212.tif 000014
【図１２】
2017503212.tif 000015
【国際調査報告】
2017503212.tif 000016
2017503212.tif 000017
2017503212.tif 000018